(57)【特許請求の範囲】
【請求項１】
内部に水処理材が充填された浄水カートリッジを有する浄水部と、この浄水部にシャワーホースによって接続され、原水または浄水を噴出するシャワーヘッドと、このシャワーヘッドを着脱可能に係止するシャワー係止具とを具備してなり、
前記シャワー係止具が、前記浄水カートリッジの外周壁にスライド可能に設けられ、
前記シャワー係止具は、前記浄水カートリッジにスライド可能に設けられたスライド部と、前記シャワーヘッドを着脱可能に係止するフック部と、前記スライド部とフック部とを回動可能に連結している連結部とを有することを特徴とする浄水シャワーシステム。
【請求項２】
前記浄水カートリッジには、原水が前記水処理材を通って吐出される第一の流路と、原水が前記水処理材を通らずに吐出される第二の流路とが形成され、
前記浄水部には、前記第一の流路と第二の流路とを切り換える切換機構が設けられていることを特徴とする請求項１記載の浄水シャワーシステム。
【請求項３】
前記浄水部が複数の浄水カートリッジを有し、これら浄水カートリッジが連結可能であることを特徴とする請求項１または請求項２に記載の浄水シャワーシステム。
【請求項４】
前記浄水カートリッジが、直列に連結されていることを特徴とする請求項３記載の浄水シャワーシステム。
【請求項５】
前記浄水カートリッジ内の水処理材の少なくとも一部が、脱塩素処理剤であることを特徴とする請求項１ないし４いずれか一項に記載の浄水シャワーシステム。
【請求項６】
前記浄水カートリッジ内の水処理材の少なくとも一部が、多孔質中空糸膜であることを特徴とする請求項１ないし４いずれか一項に記載の浄水シャワーシステム。
【発明の詳細な説明】
【０００１】
【発明の属する技術分野】
本発明は、浴室内などに設置され、水道水中に含まれる残留塩素等を浄水カートリッジで取り除き、浄水をシャワー吐出する浄水シャワーシステムに関するものである。
【０００２】
【従来の技術】
近年、健康や美容に関する意識が高まり、水道水に入っている残留塩素が飲料用のみならず、浴室での入浴や洗髪時に髪を傷めたり肌を刺激し、また、カルキ臭を発生する要因として着目され、この残留塩素を除去することが望まれている。こうした要望に対し、残留塩素を除去する浄水シャワーシステムが販売されている。
【０００３】
図３は、従来の浄水シャワーシステムの一例を示す図である。この浄水シャワーシステム４０は、主に、浄水を噴出するシャワーヘッド４１と、水道５１より原水を供給する給水口４２と、一端が前記シャワーヘッド４１に連結され、他端が給水連結部４３を介して前記給水口４２に連結されたシャワーホース４４と、前記シャワーヘッド４１を壁５２に固定するフック４５を有して概略構成されるものである。
【０００４】
また、前記シャワーヘッド４１は、浄水を散水する散水板４６が設けられたシャワー散水部４７と、このシャワー散水部４７に先端部が着脱可能に連結されるグリップ部４８と、このグリップ部４８とシャワーホース４４とを連結するヘッド連結部４９と、前記グリップ部４８内部のカートリッジ収納空間に着脱可能に収納された浄水カートリッジ５０とからなるものである。
【０００５】
前記浄水カートリッジ５０は、概円筒形を有しており、その内部には、仕様性能に応じた適量の水処理材が充填されている。水処理材としては、原水中の残留塩素の除去を目的とするならば、例えば、亜硫酸カルシウム、活性炭等が用いられる。
【０００６】
この浄水シャワーシステム４０に給水口４２から供給された原水は、シャワーホース４４を通り、シャワーヘッド４１内の浄水カートリッジ５０を通過して浄水となり、シャワー散水部４７の散水板４６からシャワー状になってシャワーヘッド４１外に散水される。
【０００７】
【発明が解決しようとする課題】
しかしながら、従来の浄水シャワーシステム４０においては、シャワーヘッド４１のグリップ部４８内に浄水カートリッジ５０を収納するため、シャワーヘッド４１本体のサイズによって、浄水カートリッジ５０の大きさが限定され、それ故、浄水カートリッジ５０に充填される水処理材の量も限定されていた。そのため、浄水カートリッジ５０の水処理性能の向上、長寿命化を目的にした場合、水処理材の量が大きく増やせないため、その目的の達成が難しいという不具合があった。
【０００８】
また、同様に浄水カートリッジ５０内部の通水断面積も限定されてしまうため、断面積を大幅に増やすことができず、そのため、圧力損失を減らして、浄水流量を増加させることが難しいという不具合があった。
【０００９】
また、本来中空であるグリップ部４８に、水処理材が充填された浄水カートリッジ５０を収納しているため、シャワーヘッド４１本体の重量が重くなってしまい、女性や子供にとって取扱い難いという不具合があった。
【００１０】
さらに、従来の浄水シャワーシステム４０は、壁５２のフック４５にシャワーヘッド４１を保持させても、シャワーヘッド４１の高さや散水されるシャワー浄水の方向や角度を調節することができなかった。そのため、通常、筒状のグリップ部４８を片手で持って使用しなければならず、両手の空いた状態でシャワー浄水を吐出、使用することが困難であった。
【００１１】
本発明は、上記の問題点に鑑み、水処理性能の向上、長寿命化、浄水流量の増加が達成でき、シャワーヘッド重量が軽く、シャワーヘッドの高さ、方向等を調整可能な、高性能で利便性に優れた浄水シャワーシステムを提供することを目的とする。
【００１２】
【課題を解決するための手段】
すなわち、本発明の浄水シャワーシステムは、内部に水処理材が充填された浄水カートリッジを有する浄水部と、この浄水部にシャワーホースによって接続され、原水または浄水を噴出するシャワーヘッドと、このシャワーヘッドを着脱可能に係止するシャワー係止具とを具備してなり、前記シャワー係止具が前記浄水カートリッジの外周壁にスライド可能に設けられ、前記シャワー係止具は、前記浄水カートリッジにスライド可能に設けられたスライド部と、前記シャワーヘッドを着脱可能に係止するフック部と、前記スライド部とフック部とを回動可能に連結している連結部とを有することを特徴とする。
【００１３】
また、前記浄水カートリッジには、原水が前記水処理材を通って吐出される第一の流路と、原水が前記水処理材を通らずに吐出される第二の流路とが形成され、前記浄水部には、前記第一の流路と第二の流路とを切り換える切換機構が設けられていることが望ましい。
【００１４】
また、前記浄水部は複数の浄水カートリッジを有し、これら浄水カートリッジが連結可能であることが望ましい。
また、前記浄水カートリッジは、直列に連結されていることが望ましい。
また、前記浄水カートリッジ内の水処理材の少なくとも一部が、脱塩素処理剤であることが望ましい。
また、前記浄水カートリッジ内の水処理材の少なくとも一部が、多孔質中空糸膜であることが望ましい。
【００１５】
【発明の実施の形態】
以下、図面を元に本発明の浄水シャワーシステムを説明する。
図１は、本発明の浄水シャワーシステムの一例を示す全体図である。
この浄水シャワーシステム１は、供給された原水を浄化して、浄水を吐出する浄水部２と、原水または浄水を噴出するシャワーヘッド３と、このシャワーヘッド３を着脱可能に係止し、前記浄水部２にスライド可能に設けられたシャワー係止具４と、水道５１より原水を供給する給水口５と、一端が前記浄水部２に連結され、他端が前記シャワーヘッド３に連結されたシャワーホース６と、一端が前記浄水部２に連結され、他端が前記給水口５に給水連結部７を介して連結された給水ホース８と、前記浄水部２の上部および下部を壁５２に着脱可能に固定する壁掛固定具９，９とを有して概略構成されるものである。
【００１６】
浄水部２は、図２に示すように、内部に水処理材１１が充填され、原水が前記水処理材１１を通って吐出される第一の流路１２および原水が前記水処理材１１を通らずに吐出される第二の流路１３が形成された円筒形の浄水カートリッジ１０，１０と、この浄水カートリッジ１０，１０の連結体の最基端部１４に着脱可能に連結され、前記第一の流路１２と第二の流路１３とを切り換える切換部１５と、前記浄水カートリッジ１０，１０の連結体の最先端部１６に着脱可能に連結され、前記第一の流路１２を通って浄水カートリッジ１０から吐出される浄水、または、第二の流路１３を通って浄水カートリッジ１０から吐出される原水が通過する集水部１７と、前記給水ホース７と切換部１５とを連結する入水連結部１８と、前記シャワーホース６と集水部１７とを連結する出水連結部１９とから構成される。
【００１７】
前記浄水カートリッジ１０には、その先端部に凸型の吐水口２０と、基端部に凹型の入水口２１が形成されており、相互に嵌合可能となっている。
浄水カートリッジ１０は、最基端部１４に着脱可能に連結された切換部１５、または最先端部１６に着脱可能に連結された集水部１７を取り外すことにより、交換することができる。これら、浄水カートリッジ１０と切換部１５、浄水カートリッジ１０と集水部１７の連結方式については、特に図示しないが、周知のネジ嵌合方式やバイヨネット方式などが用いられる。
【００１８】
浄水カートリッジ１０の内部に充填されている水処理材１１としては、亜硫酸カルシウム、粒状活性炭、繊維状活性炭、アスコルビン酸等の脱塩素処理剤、多孔質中空糸膜、イオン交換樹脂などが用いられる。これらは、単独で用いても、２種類以上を併用してもよい。原水中の残留塩素の除去を主な目的とする場合、脱塩素処理剤を用いることが好ましく、中でも、脱塩素能力に優れた亜硫酸カルシウムが好適に用いられる。また、原水中の濁質成分の除去を目的とした場合、細菌の除去まで可能な多孔質中空糸膜を用いることが好ましい。
【００１９】
また、２本の浄水カートリッジ１０に充填される水処理材１１の種類も、特に同一でなくて良く、用途に合わせて各々変更して組み合わせることが好ましい。例えば、原水中の残留塩素と重金属イオンの除去を目的とする場合、脱塩素処理剤が充填された浄水カートリッジと、イオン交換樹脂が充填された浄水カートリッジとを併用することができる。
【００２０】
前記切換部１５は、図１および図２に示すように、第一の流路１２と第二の流路１３との切り換えを操作する外部の切換レバー２２と、この切換レバー２２に連動する内部の切換機構２３とを有するものである。また、切換部１５内部には、原水を第一の流路に導く第一の導入路２４と、原水を第二の流路に導く第二の導入路２５とが形成されている。
また、前記切換機構２３としては、ロータ弁式、ボール弁式等の切換弁など、周知の切換機構を用いることができる。
【００２１】
浄水カートリッジ１０、切換部１５および集水部１７の材質としては、耐圧性、耐熱性、成形性を考慮して、ＡＢＳ樹脂、ポリプロピレン樹脂、ポリスルホン樹脂、ポリアセタール樹脂、ポリカーボネート樹脂、ポリフェニレンエーテル樹脂等のプラスチックが好ましく、更に強度を持たせたい場合、ステンレス金属を用いることが好ましい。
【００２２】
シャワー係止具４は、前記浄水カートリッジ１０の外周壁にスライド可能に設けられたスライド部２６と、前記シャワーヘッド３を着脱可能に係止するフック部２７と、前記スライド部２６とフック部２７とを回動可能に連結している連結部２８とから構成されるものである。
また、スライド部２６は、略半円形状の２本のアームから構成されている。スライド部２６は、この２本のアームで円筒形の浄水カートリッジ１０の外周壁を左右から挟み込む構造を有している。
【００２３】
シャワー係止具４は、前記２本のアームで浄水カートリッジ１０の外周壁を強く挟み込むことによって、浄水カートリッジ１０に固定され、一方、２本のアームによる挟み込みを緩めることによって、浄水カートリッジ１０の長手方向にスライド可能となる。また、シャワー係止具４は、２本のアームによる挟み込みを緩めることによって、浄水カートリッジ１０外周壁の円周方向に沿って回動可能となる。
また、アーム部２７は、スライド部２６に対して、連結部２８を回転中心として上下に回動可能である。
また、スライド部２６のアームの挟み込み構造としては、バネやボルトを用いた周知の構造を使用すれば良い。
【００２４】
シャワー係止具４の材質としては、耐圧性、耐熱性、成形性を考慮し、ＡＢＳ樹脂、ポリプロピレン樹脂、ポリスルホン樹脂、ポリアセタール樹脂、ポリカーボネート樹脂、ポリフェニレンエーテル樹脂等のプラスチックが好ましく、更に強度を持たせたい場合、ステンレス金属を用いることが好ましい。
【００２５】
シャワーヘッド３は、浄水を散水する散水板２９と、この散水板２９が設けられたシャワー散水部３０と、このシャワー散水部３０と一体成形されたグリップ部３１と、このグリップ部３１の基端部とシャワーホース６とを連結するヘッド連結部３２とを有して概略構成される。
シャワーヘッド３は、一般家庭の浴室等において通常使用されるシャワーヘッドを用いればよく、その材質、形状等は特に限定はされない。
また、浄水シャワーシステム１に使用される、給水口５、給水ホース８、シャワーホース６も、一般家庭の浴室等において通常使用されるシャワーシステムのものを用いればよく、その材質、形状等は特に限定はされない。
【００２６】
壁掛固定具９は、図１に示すように、一般家庭の浴室などに既設の上下２箇所のフック４５に引っかけて設けてもよく、または、直接壁５２にボルトや接着剤等を介して固着してもよく、特に限定はされない。
壁掛固定具９の材質は、耐圧性、耐熱性、成形性を考慮し、ＡＢＳ樹脂、ポリプロピレン樹脂、ポリスルホン樹脂、ポリアセタール樹脂、ポリカーボネート樹脂、ポリフェニレンエーテル樹脂等のプラスチックが好ましく、更に強度を持たせたい場合、ステンレス金属を用いることが好ましい。
【００２７】
この浄水シャワーシステム１は、浄水カートリッジ１０上にシャワーヘッド３を、シャワー係止具４を介してスライド可能に係止するものである。同様の機能を有するものとして、浄水カートリッジ１０を収納した縦長円筒形のハウジングの外周壁にシャワーヘッド３を、シャワー係止具４を介してスライド可能に係止する構造のものも考えられる。しかしながら、ハウジングに浄水カートリッジ１０を収納する構造のものに比べ、図示例の浄水シャワーシステム１は、コンパクト化と部材削減による低コスト化が図れること、浄水カートリッジ１０の交換が容易であること、浄水カートリッジ１０の表面が汚れても定期的に交換されるので衛生的であることなどの優れた長所を有するので、図示例の浄水シャワーシステム１の構造を用いることが望ましい。
【００２８】
なお、図示例では、浄水カートリッジ１０は縦に直列連結されているが、その連結形態については特に限定されず、その他、並列連結、直列と並列を組み合わせたものでも構わない。中でも、浄水部２の設置のしやすさや、複数物質の多段除去、高除去性能化等を考慮すると、直列連結が好ましい。
また、浄水カートリッジ１０の数は、図示例では２つのものを示したが、特にこれに限定されるものではない。浄水カートリッジ１０が１つの場合は、そのサイズを大きくすればよい。また、前記壁掛固定具９，９を設置する間隔を拡げることによって、より多くの浄水カートリッジを配置することができる。
【００２９】
また、図示例では、浄水カートリッジ１０として、その内部中央に第二の流路１３、その周囲に水処理材１１が充填された第一の流路１２が形成されたものを用いたが、これ以外に、例えば、その内部中央に水処理材１１が充填された第一の流路１２、その周囲に第二の流路１３が形成されたもの、浄水カートリッジ１０内部を長手方向にわたって半分に仕切り、一方に水処理材１１が充填された第一の流路１２を設け、他方に第二の流路１３を設けたものなどでも良く、特に限定されない。
また、図示例では、浄水部２の上部に切換部１５および入水連結部１８を設け、下部に集水部１７および出水連結部１９を設けているが、特にこの形態に限定されるものではなく、浄水部２の上部に集水部１７および出水連結部１９を設け、下部に切換部１５および入水連結部１８を設けたものでもよい。
【００３０】
次に、浄水シャワーシステム１の設置方法および使用方法について説明する。
まず、既設の２箇所のフック４５，４５に壁掛固定具９，９を取り付け、この壁掛固定具９，９に浄水部２を取り付ける。さらに、この浄水部２の浄水カートリッジ１０外周壁にシャワー係止具４を取り付ける。ついで、給水ホース８の一端を、浴室等の既設の水道５１に設けられた給水口５の給水連結部７に連結し、他端を浄水部２の入水連結部１８に連結する。さらに、シャワーホース６の一端を浄水部２の出水連結部１９に連結し、他端を既存のシャワーヘッド３のシャワー連結部３２に連結する。
【００３１】
このようにして設置された浄水シャワーシステム１においては、水道５１の給水口５から供給された残留塩素を含んだ原水は、給水ホース８を通って浄水部２に導入される。
ここで、切換レバー２２を浄水側（第一の流路１２側）に切り換えると、原水は、切換機構２３により第一の流路１２に導入され、脱塩素処理剤からなる水処理材１１によって原水中の残留塩素が取り除かれ浄水となり、浄水部２から吐出される。吐出された浄水は、シャワーホース６を通ってシャワーヘッド３に流入し、シャワーヘッド３の散水板２９から散水される。
一方、切換レバー２２を原水側（第二の流路１３側）に切り換えると、原水は、切換機構２３により第二の流路１３に導入され、浄水部２から吐出される。吐出された原水は、シャワーホース６を通ってシャワーヘッド３に流入し、シャワーヘッド３の散水板２９から散水される。
【００３２】
このような浄水シャワーシステム１にあっては、シャワーヘッド３から独立した浄水部２に、水処理材１１が充填された浄水カートリッジ１０を複数、着脱自在に装填可能としているので、水処理材１１の量をシャワーヘッド３のサイズの制限を受けずに増加させることができ、そのため、水処理性能の向上、長寿命化が可能となる。
また、浄水カートリッジ１０内部の通水断面積もシャワーヘッド３のサイズの制限を受けずに拡げることができ、そのため、圧力損失が減少し、浄水流量の増加が可能となる。
また、浄水カートリッジ１０上にシャワーヘッド３を、シャワー係止具４を介してスライド可能に保持しているので、ハウジングに浄水カートリッジ１０を収納する構造の浄水シャワーシステムに比べ、コンパクト化と部材削減による低コスト化が図れ、浄水カートリッジ１０の交換が容易であり、浄水カートリッジ１０の表面が汚れても定期的に交換されるので衛生的である。
【００３３】
また、浄水部２がシャワーヘッド３から独立しているので、シャワーヘッド３内に浄水カートリッジ１０を収納する必要がなく、シャワーヘッド３本体の重量が軽くなり、女性や子供にとって取扱いが簡単となる。
また、シャワーヘッド３がシャワー係止具４を介して浄水カートリッジ１０にスライド可能に係止されているので、任意の高さでシャワーヘッド３を保持し、任意の方向にシャワーヘッド３を向けることができ、両手の空いた状態でシャワー浄水を吐出使用することが可能となる。
また、フック４は、スライド部２６とフック部２７とが回動可能に連結され、シャワーヘッド３の散水角度を変えることができるので、さらに使い勝手がよくなる。
【００３４】
また、浄水カートリッジ１０は、原水が水処理材１１を通って吐出される第一の流路１２と、原水が水処理材１１を通らずに吐出される第二の流路１３とを切り換えることができるので、桶やタオルを洗いたい時など、浄水を必要としないときに、原水を浄化せずにそのまま用いることができ、水処理材１１の長寿命化が可能となる。
【００３５】
また、複数の浄水カートリッジ１０を連結可能としているので、原水処理量の大幅な向上が可能となる。
また、浄水カートリッジ１０を直列に連結しているので、浄水部２の設置が行いやすく、複数物質の多段除去が行いやすく、また高除去性能化が可能となる。
また、浄水カートリッジ１０内の水処理材１１の少なくと一部が、脱塩素処理剤であるので、原水中の残留塩素を除去できる。
また、浄水カートリッジ１０内の水処理材１１の少なくとも一部が、多孔質中空糸膜である場合、原水中の濁質成分、細菌等の除去が可能となる。
【００３６】
【発明の効果】
以上説明したように、本発明の浄水シャワーシステムによれば、内部に水処理材が充填された浄水カートリッジを有する浄水部と、この浄水部にシャワーホースによって接続され、原水または浄水を噴出するシャワーヘッドと、このシャワーヘッドを着脱可能に係止するシャワー係止具とを具備してなり、前記シャワー係止具が、前記浄水カートリッジの外周壁にスライド可能に設けられているので、水処理性能の向上、長寿命化、浄水流量の増加を達成でき、また、シャワーヘッドの軽量化や、シャワーヘッドの高さや方向の調整が可能となり、利便性に優れる。
【００３７】
また、前記シャワー係止具が、前記浄水カートリッジにスライド可能に設けられたスライド部と、前記シャワーヘッドを着脱可能に係止するフック部と、前記スライド部とフック部とを回動可能に連結している連結部とを有するものの場合、シャワーヘッドの浄水吐出角度を調整することができるので、さらに利便性が向上する。
また、前記浄水カートリッジには、原水が前記水処理材を通って吐出される第一の流路と、原水が前記水処理材を通らずに吐出される第二の流路とが形成され、前記浄水部には、前記第一の流路と第二の流路とを切り換える切換機構が設けられている場合、さらに浄水カートリッジを長寿命化できる。
【００３８】
また、複数の浄水カートリッジを連結可能とした場合、原水の処理量が大幅に向上できる。
また、浄水カートリッジを直列に連結した場合、浄水部の設置が容易で、複数物質の多段除去化、高除去性能化が行える。
また、浄水カートリッジ内の水処理材の少なくと一部が、脱塩素処理剤である場合、原水中の残留塩素の除去が可能となる。
また、浄水カートリッジ内の水処理材の少なくとも一部が、多孔質中空糸膜である場合、原水中の濁質成分、細菌等の除去が可能となる。
【図面の簡単な説明】
【図１】  本発明の浄水シャワーシステムの一例を示す全体図である。
【図２】  本発明の浄水シャワーシステムに用いられる浄水カートリッジの一例を示す側断面図である。
【図３】  従来の浄水シャワーシステムの一例を示す全体図である。
【符号の説明】
１  浄水シャワーシステム
２  浄水部
３  シャワーヘッド
４  シャワー係止具
６  シャワーホース
１０  浄水カートリッジ
１１  水処理材
１２  第一の流路
１３  第二の流路
２３  切換機構
２６  スライド部
２７  フック部
２８  連結部
【図１】
0004107751.tif 000002
【図２】
0004107751.tif 000003
【図３】
0004107751.tif 000004